(57)【特許請求の範囲】
【請求項１】
レーザ出射口と該レーザ出射口と同軸のエア出口とを有するハンドピースと、光ファイバーと該光ファイバーとの間に隙間を置いた外皮とからなる光チューブとを備え、レーザ治療機本体と前記ハンドピースとを前記光チューブで接続するとともに、前記隙間をエア通路としたレーザ治療機において、
前記ハンドピースは前記光チューブ内部の前記エア通路と連通した先細のカニューラを有し、前記カニューラの先端はエア出口とされ、前記光ファイバーは前記カニューラ内を延長されて前記エア出口からわずかに突出する状態にされ、前記光ファイバーの先端はレーザ出射口とされたことを特徴とするレーザ治療機。
【請求項２】
前記ハンドピースは、前記カニューラを前部に着脱自在に結合したグリップ部と、該グリップ部の後部にパッキンとコネクタとを有し、これらのグリップ部とパッキンとコネクタの中心線に沿って、光チューブが貫通していることを特徴とする請求項１に記載のレーザ治療機。
【発明の詳細な説明】
【０００１】
【発明の属する技術分野】
本発明は、レーザ治療機に関する。
【０００２】
【従来の技術】
現在、医科歯科治療等において、患部を瞬時に加熱して蒸散させるために、レーザ治療機が用いられている。従来のレーザ治療機を図７に示す。レーザ治療機は、レーザ治療機本体１のレーザ出射口２０から、光ファイバーによりハンドピース３までレーザを導き、患部にレーザを照射するものである。なお、光ファイバーは、外皮により被覆されている。以下、光ファイバーと外皮を合わせて、光チューブ１９という。また、レーザ治療機は、患部を冷却するため、レーザ治療機本体１のエア出口２１からエアチューブ７により冷却用エアもハンドピース３まで導き、患部に冷却用エアを吹き付けている。
【０００３】
レーザ治療機を使用しないときは、ハンドピース３をレーザ治療機の上面に立設されたハンドピースブラケット４に取り付けられているハンドピースホルダ５に保持させておく。このとき、光チューブ１９及びエアチューブ７は、余剰の部分をループ状に丸めて、ハンドピースブラケット４の先端に形成した螺旋状の引掛部６に掛けておくようにされている。
【０００４】
また、従来のレーザ治療機に用いられているハンドピース３の外形図と縦断面図を、図８及び図９に示す。従来のハンドピース３は、レーザ出射口１８、カニューラ８、グリップ部９、コネクタ１１及びエア出口１５を有している。グリップ部９は、中空になっていて、前部と後部を前部封鎖部材１２と後部封鎖部材１３により封鎖されている。前部封鎖部材１２と後部封鎖部材１３は、グリップ部９を長手方向に貫通している光チューブ１９とエア出射管１４を固定している。エア出射管１４は、先端にエア出口１５が設けられており、後端にエアチューブ７が接続具２４を用いて結合されている。
【０００５】
前部封鎖部材１２には前方凸部１６が設けられており、この前方凸部１６は、光チューブ１９の先端部を支持している。施術中に光ファイバー２に汚れが付着するのを防ぐため、前方凸部１６にはカニューラ８が着脱自在に結合されており、施術毎に新しいものと交換できるようになっている。光ファイバー２の先端は、カニューラ８の先端からわずかに突出した状態にされていて、レーザ出射口１８となっている。後部封鎖部材１３は、パッキン１７を間に挟んで、光チューブ１９を挿通されたコネクタ１１と螺合している。コネクタ１１を回してパッキン１７を締め付けると、光チューブ１９はハンドピース３にしっかりと固定される。レーザ治療機の使用により、光ファイバー先端が消耗したときには、コネクタ１１を回してパッキン１７を緩めて、光チューブ１９を前方に繰り出すことができるようになっている。
【０００６】
【発明が解決しようとする課題】
ところで、前記のような従来のレーザ治療機では、ハンドピース３において、レーザ出射口１８とエア出口１５が別々で離れていたため、レーザを照射している患部にエアを正確に吹き付けることが困難であった。また、ハンドピース３とレーザ治療機本体１との間を、光チューブ１９とエアチューブ７の２本のチューブで接続していたため、この２本のチューブが絡まりやすく、施術者の作業を困難にしていた。このため、レーザを照射している患部にエアを正確に吹き付けることができるか、または、光チューブとエアチューブの２本のチューブが絡まりにくいハンドピースを有するレーザ治療機が求められていた。
【０００７】
【課題を解決するための手段】
上記の課題を解決するため、請求項１に係る発明は、レーザ出射口と該レーザ出射口と同軸のエア出口とを有するハンドピースと、光ファイバーと該光ファイバーとの間に隙間を置いた外皮とからなる光チューブとを備え、レーザ治療機本体と前記ハンドピースとを前記光チューブで接続するとともに、前記隙間をエア通路としたレーザ治療機において、前記ハンドピースは前記光チューブ内部の前記エア通路と連通した先細のカニューラを有し、前記カニューラの先端はエア出口とされ、前記光ファイバーは前記カニューラ内を延長されて前記エア出口からわずかに突出する状態にされ、前記光ファイバーの先端はレーザ出射口とされている。
請求項２に係る発明は、請求項１に係る発明において、前記ハンドピースは、前記カニューラを前部に着脱自在に結合したグリップ部と、該グリップ部の後部にパッキンとコネクタとを有し、これらのグリップ部とパッキンとコネクタの中心線に沿って、光チューブが貫通している。
【０００８】
【発明の実施の形態】
本発明に係るレーザ治療機の実施例を、図面に基づいて説明する。まず、図１に示したように、レーザ治療機本体１は従来のものを使用し、ハンドピース３とレーザ治療機本体１との間を接続する光チューブ１９において、光チューブ１９とエアチューブ７を接続部３０で接続し、光チューブ１９の外皮１０をエアチューブとしても利用する。
【０００９】
図２に、光チューブ１９の外皮１０とエアチューブ７との接続部付近の断面図を示す。外皮１０と光ファイバー２との間には隙間があり、この隙間はエア通路７０となっている。レーザ治療機本体１の近くの接続部３０において、外皮１０は切断されており、この切断された両側の外皮１０とエアチューブ７との３者をＴ字型管継ぎ手３２で接続する。Ｔ字型管継ぎ手３２の各先端部には、くさび部３４が設けられていて、このくさび部３４を外皮１０とエアチューブ７内に挿入することにより３者を結合する。各くさび部３４の後方には、小突片３６が設けられていて、３者をＴ字型管継ぎ手３２から外れにくくしている。
【００１０】
光チューブ１９の一端は、レーザ治療機本体１内のレーザ光源３８に面している。また、光チューブ１９の一端にファイバーフェルール４０が固定されている。このファイバーフェルール４０は、光チューブ１９の中心に光ファイバー２の一端を固定するとともに、エアが、レーザ治療機１側へ流れ込まずに、ハンドピース３側へ流れるようにしている。レーザ光源３８から発射されたレーザは、集光レンズ４２により集光されて、光ファイバー２に入射し、光ファイバー２によりハンドピース３まで導かれる。本発明の光チューブ１９の外皮１０は、テフロン製であり、従来のシリコン製の外皮に比べて、光チューブ１９を折り曲げたときに、くの字型に折り曲げられてつぶれることが少ないので、エアの流れが妨げられることが少ない。
【００１１】
本発明のハンドピースの外形図及び縦断面図を、図３及び図４に示す。さらに、図４におけるＡの部分とＢの部分の拡大断面を、図５及び図６に示す。ハンドピース３は、先細のカニューラ５０とグリップ部５２とコネクタ５４を有し、グリップ部５２とコネクタ５４の中心線に沿って設けられた孔５８を光チューブ１９が貫通している。
【００１２】
グリップ部５２の後部は、パッキン６４を間に挟んで、コネクタ５４と螺合している。コネクタ５４を回してパッキン６４を締め付けると、光チューブ１９はハンドピース３にしっかりと固定されるとともに、孔５８からのエア漏れを防ぐことができる。レーザ治療機の使用により、光ファイバー２の先端は消耗するので、施術毎に光ファイバー２の先端を切っていくとき、コネクタ５４を回して、パッキン６４を緩ませ、光チューブ１９を前方に繰り出すことができるようになっている。
【００１３】
グリップ部５２には前方凸部６８が設けられ、光チューブ１９の先端部を支持するとともに、カニューラ５０の内面との摩擦により、カニューラ５０を着脱自在でかつ気密に結合している。このカニューラ５０は、光チューブ１９内部のエア通路７０と連通していて、このカニューラ５０の先端がエア出口７２になっている。光ファイバー２は、光チューブ１９の先端からカニューラ５０の中心線に沿って延長され、エア出口７２からわずかに突出した状態にされている。この光ファイバー２の先端が、レーザ出射口７４になっているから、両出射口７２、７４は、同軸となる。このように、光チューブ１９をカニューラ５０内まで延長して、ハンドピース３内に新たにエア通路と光ファイバーとを設けず、また、ハンドピース３と光チュ−ブ１９との接続具も必要ないから、ハンドピース３の構造を簡単にできる。
【００１４】
本実施例では、ハンドピース３において、エア出口７２とレーザ出射口７４とが同軸としたので、レーザを照射している患部にエアを正確に吹き付けることができるとともに、光チューブ１９の外皮１０をエアチューブを兼ねさせて、チューブを１本にしたので、光チューブとエアチューブの２本のチューブが絡まることがなくなる。なお、光ファイバー２は固いので、エアによる光ファイバー２への加振力により、光ファイバー２に振動が発生する恐れはない。
【００１５】
【発明の効果】
以上に述べたように、請求項１に係る発明によれば、レーザを照射している患部にエアを正確に吹き付けることができるとともに、光チューブがエアチューブも兼ねて、光チューブとエアチューブの２本のチューブが絡まることがなくなるので、施術者の作業が容易になる。また、光チューブをカニューラ内まで延長して、ハンドピース内に新たにエア通路と光ファイバーを設けず、しかも、ハンドピースと光チュ−ブとの接続具も必要ないから、ハンドピースの構造を簡単にできる。
請求項２に係る発明によれば、請求項１に係る発明と同じ効果を奏するうえ、レーザ治療機の使用により光ファイバーの先端が消耗するので、施術毎に光ファイバーの先端を切っていくとき、コネクタを回して、パッキンを緩ませ、光チューブを前方に繰り出すことができる。また、グリップ部とコネクタは組み立て前には分離して、夫々が短くなっているので、組み立て時に光チューブをそれらに貫通させる作業が容易となる。
【図面の簡単な説明】
【図１】本発明のレーザ治療機の正面図である。
【図２】前記レーザ治療機における光チューブとエアチューブとの接続部の断面図である。
【図３】本発明のハンドピースの外形図である。
【図４】本発明のハンドピースの縦断面図である。
【図５】図４におけるＡの部分の拡大断面図である。
【図６】図４におけるＢの部分の拡大断面図である。
【図７】従来のレーザ治療機の正面図である。
【図８】従来のハンドピースの外形図である。
【図９】従来のハンドピースの縦断面図である。
【符号の説明】
１  レーザ治療機本体
２  光ファイバー
３  ハンドピース
７  エアチューブ
１０  外皮
１９  光チューブ
５０  カニューラ
７０  エア通路
５２  グリップ部
５４  コネクタ
７２  エア出口
７４  レーザ出射口
【図１】
0004171546.tif 000002
【図２】
0004171546.tif 000003
【図３】
0004171546.tif 000004
【図４】
0004171546.tif 000005
【図５】
0004171546.tif 000006
【図６】
0004171546.tif 000007
【図７】
0004171546.tif 000008
【図８】
0004171546.tif 000009
【図９】
0004171546.tif 000010